(57)【特許請求の範囲】
【請求項１】
（ａ）予め登録されている中から顧客が選択する画像、画像枠のパターンをデータベースとして記憶している記憶手段、画像、画像枠及びその他の素材とを画像合成する合成手段、印字・出力された画像の回数を記録するカウント手段とを少なくとも有するコンピュータと、
（ｂ）選択画像、操作メニュー等を表示するディスプレイと、
（ｃ）通帳に画像を設けるために出力する印字手段と、
を少なくとも具備する画像付き通帳作製システムであって、
システム起動時に、パスワードの入力により画像を印字・出力可能とするパスワード入力する手段を有し、パスワード入力する手段は、専用パスワードの入力により通常の印字・出力とは別に、テストモードでの印字・出力を可能とし、
前記カウント手段は、選択された画像の印字・出力された画像の回数を記録し、テストモードでは、通常の印字・出力とは別に印字・出力された画像の回数を記録することを特徴とする画像付き通帳作製システム。
【請求項２】
（ａ）顧客が選択する画像、画像枠のパターンをデータベースとして記憶している記憶手段、及びクライアント側コンピュータで印字・出力された画像の回数を記録するカウント手段、ネットワークを介してデータの送受信を制御する制御手段とを少なくとも有するサーバ側コンピュータと、
（ｂ）ネットワークを介してデータの送受信を制御する制御手段を有し、顧客が選択する画像、画像枠のパターンをサーバ側コンピュータから受信し記憶する記憶手段、画像、画像枠及びその他の素材とを画像合成する合成手段とを少なくとも有するクライアント側コンピュータと、
（ｃ）選択画像、操作メニュー等を表示するディスプレイと、
（ｄ）通帳に画像を設けるために出力する印字手段と、
を少なくとも具備する画像付き通帳作製システムであって、
システム起動時に、パスワードの入力により画像を印字・出力可能とするパスワード入力する手段を有し、パスワード入力する手段は、専用パスワードの入力により通常の印字・出力とは別に、テストモードでの印字・出力を可能とし、
前記カウント手段は、選択された画像の印字・出力された画像の回数を記録し、テストモードでは、通常の印字・出力とは別に印字・出力された画像の回数を記録することを特徴とする画像付き通帳作製システム。
【請求項３】
通帳に画像を設けるために出力する前記印字手段が、昇華又は溶融転写方式であることを特徴とする請求項１，２に記載の画像付き通帳作製システム。
【請求項４】
前記カウント手段によって、算出された回数に応じて版権管理を行うことを特徴とする請求項１、２に記載の画像付き通帳作製システム。
【請求項５】
請求項１に記載の画像付き通帳作製システムを用いた画像付き通帳の作製方法であって、
（１）、コンピュータは、顧客から申し込みのあった画像を、記憶手段から呼び出し、該当画像のサムネイル及び操作メニューをディスプレイに表示し、顧客に画像の選択を促す画面を表示する。
（２）、種々の画像枠パターンを記憶手段から呼び出し、ディスプレイに表示し、顧客に画像枠の選択を促す画面を表示する。
（３）、（１）で選択された画像と、（２）で選択された画像枠とを、コンピュータの合成手段で合成し、１個の纏まった画像データを作製し、ディスプレイに表示し、確認を促す。
（４）、（３）で確認された画像データを印字手段に送信し、直接通帳に印字する或いは転写媒体（転写シール）に印字し、該転写媒体に印字された画像を通帳に転写する。
少なくとも、以上の作業工程を具備することを特徴とする画像付き通帳の作製方法。
【請求項６】
請求項２に記載の画像付き通帳作製システムを用いた画像付き通帳の作製方法であって、
（１）、クライアント側コンピュータは、ネットワークを介してサーバ側コンピュータに顧客から申し込みのあった画像を送信することを要求し、サーバ側コンピュータはこの要求に従ってクライアント側コンピュータに画像を送信する。
（２）、クライアント側コンピュータは、顧客から申し込みのあった画像を、記憶手段から呼び出し、該当画像のサムネイル及び操作メニューをディスプレイに表示し、顧客に画像の選択を促す画面を表示する。
（３）、種々の画像枠パターンを記憶手段から呼び出し、ディスプレイに表示し、顧客に画像枠の選択を促す画面を表示する。
（４）、（２）で選択された画像と、（３）で選択された画像枠とを、コンピュータの合成手段で合成し、１個の纏まった画像データを作製し、ディスプレイに表示し、確認を促す。
（５）、（４）で確認された画像データを印字手段に送信し、直接通帳に印字する或いは転写媒体（転写シール）に印字し、該転写媒体に印字された画像を通帳に転写する。
少なくとも、以上の作業工程を具備することを特徴とする画像付き通帳の作製方法。
【発明の詳細な説明】
【０００１】
【発明の属する技術分野】
本発明は、各顧客が選択した好みの画像を通帳に設けることができる画像付き通帳作製システムおよび方法に関するものである。
【０００２】
【従来の技術】
従来、画像付き通帳は、金融機関が選択した絵画等をオフセット印刷等で予め印刷しておいた通帳を作製し、この商品群（通帳群）から顧客が選択するものである。
【０００３】
しかし、画像が予め印刷されている通帳だと、人気のある特定の画像が設けられた通帳のみが早く在庫が無くなってしまう現象が発生し、在庫管理が煩雑になる。また、在庫管理の煩雑さの低減を図るために、予め印刷しておく絵画の種類にも限りあり、必ずしも、顧客が希望し、申し込んだ画像を設けた通帳が作製されていない場合が生じ、きめ細かい対応ができない。
【０００４】
また、従来のように、支持体と画像層が一体となっているシールを通帳に貼り付けた場合は、図４に示すように支持体（３）の厚みがあるために貼った時に部分的な段差が生じたり、シールの端部から糊がはみ出したりしてＡＴＭに通帳を挿入した際に、マシントラブルを引き起こす原因となる恐れがある。
【０００５】
【発明が解決しようとする課題】
本発明が解決しようとする課題は、画像付き通帳の在庫管理が簡単であり、また、顧客が申し込み、選択できる画像の種類が豊富で、且つ、ＡＴＭに通帳を挿入した際に、マシントラブルを引き起こさない画像付き通帳の作製システム及びこの作製方法を提供することである。
【０００６】
【課題を解決するための手段】
上記目的を達成するためになされた請求項１に記載の発明は、
（ａ）予め登録されている中から顧客が選択する画像、画像枠のパターンをデータベースとして記憶している記憶手段、画像、画像枠及びその他の素材とを画像合成する合成手段、印字・出力された画像の回数を記録するカウント手段とを少なくとも有するコンピュータと、
（ｂ）選択画像、操作メニュー等を表示するディスプレイと、
（ｃ）通帳に画像を設けるために出力する印字手段と、
を少なくとも具備する画像付き通帳作製システムであって、
システム起動時に、パスワードの入力により画像を印字・出力可能とするパスワード入力する手段を有し、パスワード入力する手段は、専用パスワードの入力により通常の印字・出力とは別に、テストモードでの印字・出力を可能とし、
前記カウント手段は、選択された画像の印字・出力された画像の回数を記録し、テストモードでは、通常の印字・出力とは別に印字・出力された画像の回数を記録することを特徴とする画像付き通帳作製システムである。
【０００７】
また、請求項２に記載の発明は、
（ａ）顧客が選択する画像、画像枠のパターンをデータベースとして記憶している記憶手段、及びクライアント側コンピュータで印字・出力された画像の回数を記録するカウント手段、ネットワークを介してデータの送受信を制御する制御手段とを少なくとも有するサーバ側コンピュータと、
（ｂ）ネットワークを介してデータの送受信を制御する制御手段を有し、顧客が選択する画像、画像枠のパターンをサーバ側コンピュータから受信し記憶する記憶手段、画像、画像枠及びその他の素材とを画像合成する合成手段とを少なくとも有するクライアント側コンピュータと、
（ｃ）選択画像、操作メニュー等を表示するディスプレイと、
（ｄ）通帳に画像を設けるために出力する印字手段と、
を少なくとも具備する画像付き通帳作製システムであって、
システム起動時に、パスワードの入力により画像を印字・出力可能とするパスワード入力する手段を有し、パスワード入力する手段は、専用パスワードの入力により通常の印字・出力とは別に、テストモードでの印字・出力を可能とし、
前記カウント手段は、選択された画像の印字・出力された画像の回数を記録し、テストモードでは、通常の印字・出力とは別に印字・出力された画像の回数を記録することを特徴とする画像付き通帳作製システムである。
【０００８】
また、請求項３に記載の発明は、
通帳に画像を設けるために出力する前記印字手段が、昇華又は溶融転写方式であることを特徴とする請求項１，２に記載の画像付き通帳作製システムである。
【０００９】
また、請求項４に記載の発明は、
前記カウント手段によって、算出された回数に応じて版権管理を行うことを特徴とする請求項１、２に記載の画像付き通帳作製システムである。
【００１０】
また、請求項５に記載の発明は、
請求項１に記載の画像付き通帳作製システムを用いた画像付き通帳の作製方法であって、
（１）、コンピュータは、顧客から申し込みのあった画像を、記憶手段から呼び出し、該当画像のサムネイル及び操作メニューをディスプレイに表示し、顧客に画像の選択を促す画面を表示する。
（２）、種々の画像枠パターンを記憶手段から呼び出し、ディスプレイに表示し、顧客に画像枠の選択を促す画面を表示する。
（３）、（１）で選択された画像と、（２）で選択された画像枠とを、コンピュータの合成手段で合成し、１個の纏まった画像データを作製し、ディスプレイに表示し、確認を促す。
（４）、（３）で確認された画像データを印字手段に送信し、直接通帳に印字する或いは転写媒体（転写シール）に印字し、該転写媒体に印字された画像を通帳に転写する。
少なくとも、以上の作業工程を具備することを特徴とする画像付き通帳の作製方法である。
【００１１】
また、請求項６に記載の発明は、
請求項２に記載の画像付き通帳作製システムを用いた画像付き通帳の作製方法であって、
（１）、クライアント側コンピュータは、ネットワークを介してサーバ側コンピュータに顧客から申し込みのあった画像を送信することを要求し、サーバ側コンピュータはこの要求に従ってクライアント側コンピュータに画像を送信する。
（２）、クライアント側コンピュータは、顧客から申し込みのあった画像を、記憶手段から呼び出し、該当画像のサムネイル及び操作メニューをディスプレイに表示し、顧客に画像の選択を促す画面を表示する。
（３）、種々の画像枠パターンを記憶手段から呼び出し、ディスプレイに表示し、顧客に画像枠の選択を促す画面を表示する。
（４）、（２）で選択された画像と、（３）で選択された画像枠とを、コンピュータの合成手段で合成し、１個の纏まった画像データを作製し、ディスプレイに表示し、確認を促す。
（５）、（４）で確認された画像データを印字手段に送信し、直接通帳に印字する或いは転写媒体（転写シール）に印字し、該転写媒体に印字された画像を通帳に転写する。
少なくとも、以上の作業工程を具備することを特徴とする画像付き通帳の作製方法である。
【００１２】
【発明の実施の形態】
以下、本発明の実施例の形態を、図面を参照しながら詳細に説明する。
【００１３】
図１は、本発明の画像付き通帳作製システムの構成を示し、図２は操作する際にディスプレイに表示される画面の１例を示すものである。
コンピュータ（１０）は、当然のことながら、画像読取手段（１２）、画像作製プログラム、画像データベース、画像枠データベース等を記憶するメモリー部（１３）、選択された画像と画像枠或いはその他の画像を構成する素材とを組み合わせて一つの纏まった画像を合成する画像合成手段（１４）、色修正する色修正手段、表示部であるディスプレイ等から構成されている。
【００１４】
コンピュータ（１０）のメモリー部（１３）には、絵画、名所旧跡、風景等の画像及び画像枠パターンがデータベースとして記憶されている。例えば、顧客がセザンヌの絵画から選択したいと申し込めば、これに該当する画像を、図２（ａ）示すような（イ）、（ロ）、（ハ）・・・のサムネイル表示画像（３１）の一覧が表示され、顧客が、このサムネイル表示画像（３１）の１つを選択すると、選択されたサムネイル画像が選択画像表示部（３３）に高精細で表示される。
この選択画像表示部（３３）に表示された画像を見て、希望に合致しない場合には、他のサムネイル表示画像から再び選択する。
【００１５】
また、画像枠パターン（枠が無い場合も画像枠パターンの１種である）を呼び出し、図２（ｂ）のような（い）、（ろ）、（は）・・・の画像枠パターン（３５）の一覧が表示され、顧客が、この画像枠パターン（３５）の１つを選択すると、選択画像と画像枠とが合成され、図２（ｃ）に示す全体像が表示される。
この全体像の気に入らなければ、再度、選択することもできる。
【００１６】
コンピュータ（１０）の記憶手段に画像、画像枠パターンを記憶させるには、公知のパッケージ記憶媒体であるＣＤ−ＲＯＭから、或いはネットワークを介して、インストールすることができる。
【００１７】
上述で画像が決定された画像データは、プリンター（２０）にデータを送り込み、直接通帳（１）に印字、或いは転写媒体（転写シール）に印字し、該転写媒体に印字された画像を通帳に転写する。
【００１８】
通帳に直接画像を印字する方法を図５に示す。ここで、通常行われている溶融転写方式を用いる。
転写媒体（転写リボン）（４０）の色材転写層（４４）を通帳（１）に面して配置させ、発熱記録素子（４５）がコンピュータ（１０）の画像データに基づいて作動し、色材転写層を通帳（１）に転写させる（図５（ａ）参照）。
【００１９】
転写媒体（転写リボン）（４０）は、図５（ｂ）、（ｃ）に示すように、ポリエチレンテレフタレート、ナイロンの如き耐熱性を有する転写媒体（転写リボン）基材（４２）上に、色材転写層（４４）が転写し易くする機能を有した離型層（４３）、この離型層（４３）の上にＹ（イエロー）、Ｍ（マゼンタ）、Ｃ（シアン）、ＢＫ（ブラック）の色材転写層（４４）が設けられている。
【００２０】
離型層（４３）は、ポリエチレンワックス、パラフィンワックス、フッ素系樹脂、シリコーン系樹脂、シリコーンオイル等の離型剤の単体或いは混合物を、ポリエステル樹脂、ポリ塩化ビニル樹脂、エチレン−酢酸ビニル共重合樹脂、エチレン−アクリル酸共重合樹脂等をバインダーとして約１０μｍの厚さで塗布して設ける。
また、色材転写層（４４）は、上記の色に発色する顔料、染料をポリメタクリル酸メチル樹脂、ポリアクリル酸エチル樹脂、ポリ塩化ビニル樹脂、エチレン−酢酸ビニル共重合樹脂、エチレン−アクリル酸共重合樹脂等に分散させた塗布剤を約２０μｍの厚さで、図５（ｂ）に示すように、各色材転写層が分離されて設けられている。
また、転写媒体（転写リボン）（４０）には、プリンター（２０）で画像を形成する際、各色材転写層（４４）の位置を検出するためのレジスターマーク（４１）が設けられている。
【００２１】
この転写媒体（転写リボン）（４０）を用い、コンピュータの画像データに基づいて発熱素子（４５）で直接、通帳（１）に画像（２）を形成したものが図５（ｄ）である。
【００２２】
通帳に画像を設ける、もう一つの方法は、図６に示すように、転写媒体（４０）で、受像層（５３）を有する２次転写媒体（５０）に画像を形成し、この２次転写媒体（５０）に形成された画像を通帳に転写させる方法である。
【００２３】
先の図５に示した転写媒体（４０）を用いて、基材（５１）に剥離層（５２）、受像層（５３）を有する２次転写媒体（５０）に、コンピュータの画像データに基づいて、発熱素子（４５）で２次転写媒体の受像層に画像を形成する（図６（ａ）参照）。
該画像が形成された２次転写媒体（５０）を用い、通帳（１）に圧熱転写させて画像（２）を形成したものが図６（ｄ）である。
【００２４】
２次転写媒体の剥離層（５２）は、図５に示した離型層と同様に、ポリエチレンワックス、パラフィンワックス、フッ素系樹脂、シリコーン系樹脂、シリコーンオイル等の離型剤の単体或いは混合物を、ポリエステル樹脂、ポリ塩化ビニル樹脂、エチレン−酢酸ビニル共重合樹脂、エチレン−アクリル酸共重合樹脂等をバインダーとして約１０ミクロンの厚さで塗布して設ける。
この離型層は、基材と離型層との層間で剥がれるようにしておき、通帳に転写後は、表面を保護する保護層となる。
【００２５】
また、受像層（５３）は、転写媒体（１次の転写媒体）からの画像が形成、定着されるとともに、これを通帳に転写する機能を有し、ポリメタクリル酸メチル樹脂、ポリアクリル酸エチル樹脂、ポリ塩化ビニル樹脂、エチレン−酢酸ビニル共重合樹脂、エチレン−アクリル酸共重合樹脂等で約１０μｍの厚さである樹脂層である。
【００２６】
この画像付き通帳システムにおいて、選択・使用された画像の回数をカウントし記録することで、版権の使用料金を賦課することができる。
【００２７】
また、図３に示すように、ネットワークで連結されるサーバ／クライアントシステムで、選択画像、画像枠パターン、メニュー、カウント回数等の情報の授受を行ってもよい。
【００２８】
以上が、本発明の画像付き通帳の作製システム、作製方法の概要である。これに付随して、システム起動時にパスワード入力させることにより、システム使用者を制限することで、画像の版権管理が可能となる。また、テストモード専用パスワードを入力することにより、本番出力件数とは別にテスト出力件数を記録するようにしても良く、様々にモディファイすることが可能である。
【００２９】
【発明の効果】
以上述べたように、画像が予め印刷されている通帳だと、人気のある特定の画像が設けられた通帳のみが早く在庫が無くなってしまう現象が発生し、在庫管理が煩雑になるが、顧客が選択した画像を通帳に設けることができるので、在庫管理が容易となる。
また、画像が予め印刷されている通帳だと、画像の種類に制限があり、必ずしも、顧客が申し込んだ画像を設けた通帳が作製されていない場合が生じ、きめ細かい対応ができないという問題も解消できる。
【００３０】
また、従来のように、支持体と画像層が一体となっているシールを通帳に貼り付けた場合は、図４に示すように支持体の厚みがあるために貼った時に部分的な段差が生じたり、シールの端部から糊がはみ出したりしてＡＴＭに通帳を挿入した際に、マシントラブルを引き起こす原因となる恐れがあるが、画像が色材転写層で形成するために、画像層が極めて薄くなり、段差が生じたり、糊によるトラブルが発生しなくなる。
【図面の簡単な説明】
【図１】本発明の画像付き通帳作製システムを説明するものであり、（ａ）は構成図、（ｂ）はブロック図を示す。
【図２】本発明の画像付き通帳作製システムにおけるディスプレイ表示画面の１例を示す。
【図３】サーバ／クライアント方式で本発明の本発明の画像付き通帳作製システムを構築する場合のブロック図を示す。
【図４】従来の画像付き通帳を示す斜視図である。
【図５】転写媒体で通帳に画像を設ける工程を説明するものであり、
（ａ）は転写媒体を用い発熱素子で通帳に画像を設ける図、
（ｂ）は転写媒体の平面図、
（ｃ）は転写媒体の断面図
（ｄ）は通帳に画像が設けられた状態を示す断面図、
をそれぞれ示す。
【図６】転写媒体で通帳に画像を設ける他の工程を説明するものであり、
（ａ）は転写媒体を用い発熱素子で２次転写媒体に画像を設ける図、
（ｂ）は転写媒体の平面図、
（ｃ）は２次転写媒体から通帳に転写する際の位置関係を示す断面図、
（ｄ）は２次転写媒体から通帳に画像が設けられた状態を示す断面図、
をそれぞれ示す。
【符号の説明】
１…通帳
２…画像
３…シール支持体
１０…コンピュータ
１１…ＣＰＵ
１２…画像読取手段
１３…メモリー部
１４…色修正手段
１５…表示部
２０…プリンター
３０…ディスプレイ表示画面
３１…サムネイル表示画像
３２…メニュー表示部
３３…選択画像表示部
３４…画像枠
３５…画像枠パターン
３６…選択画像
３７…画像枠
４０…転写媒体（転写リボン）
４１…レジスターマーク
４２…転写媒体基材
４３…剥離層
４４…色材転写層
４５…発熱素子
５０…２次転写媒体
５１…基材
５２…剥離層
５３…受像層
【図１】
0004742471.tif 000002
【図２】
0004742471.tif 000003
【図３】
0004742471.tif 000004
【図４】
0004742471.tif 000005
【図５】
0004742471.tif 000006
【図６】
0004742471.tif 000007